(57)【要約】【課題】身障者が車椅子に座ったままの状態で複写に係る一連の操作及び作業を容易に行うことができる画像形成装置の提供。【解決手段】原稿を読み取る読取部５、及び画像形成されて排出された用紙を収容する排紙トレイ６５は、支柱２３，２３…のラックに係合するギア５ｇ，５ｇ…及び６５ｇ，６５ｇ…により支柱２３，２３…に支持されている。ギア５ｇ，５ｇ…及び６５ｇ，６５ｇ…はモータ５ｍ及び６５ｍにより回動し、読取部５は矢付Ａ、排紙トレイ６５は矢付Ｂの方向に上下動し、上下動は発光ダイオード５Ｄ及び６５Ｄが発する光を光検出センサＳ１，Ｓ２，Ｓ３が検出したときに停止する。高さＨ２に移動した読取部５又は排紙トレイ６５は、電動式のシリンダ２４のモータ２４ｍの回動で伸縮する押し出し部（不図示）によりスライドレール（不図示）に支持されて矢付Ｃの方向に筐体２の側面に設けられた開口部２１から出入りする。【選択図】        図３
2004286880.tif 000002
【特許請求の範囲】
【請求項１】
原稿を読み取る読取手段と、該読取手段により読み取った原稿の画像データに基づいて記録媒体に画像形成する画像形成手段と、該画像形成手段により画像形成されて排出される記録媒体を収容する排出記録媒体収容手段とを備える画像形成装置において、
前記読取手段、及び排出記録媒体収容手段は、側面に開口部が設けられた筐体の内部に収納され、該開口部から出入可能にしてあることを特徴とする画像形成装置。
【請求項２】
前記読取手段、及び排出記録媒体収容手段は、前記筐体の内部で高さ方向に、それぞれ独立して移動可能にしてあることを特徴とする請求項１に記載の画像形成装置。
【請求項３】
前記排出記録媒体収容手段は、前記画像形成手段と一体に構成されていることを特徴とする請求項１又は２に記載の画像形成装置。
【請求項４】
前記筐体の上面及び／又は前記側面に、情報を表示する表示手段が設けられていることを特徴とする請求項１乃至３のいずれかに記載の画像形成装置。
【請求項５】
前記筐体の上面及び／又は前記側面に、指示を入力する入力手段が設けられていることを特徴とする請求項１乃至４のいずれかに記載の画像形成装置。
【請求項６】
個人を特定するための個人情報を取得する個人情報取得手段と、
該個人情報取得手段が取得した個人情報と、予め登録しておいた登録者の個人情報とを照合する個人情報照合手段と、
該個人情報照合手段の照合結果に基づいて、使用の許可又は不許可を判定する判定手段と
を更に備えることを特徴とする請求項１乃至５のいずれかに記載の画像形成装置。
【請求項７】
ネットワークを介して外部装置から送信された画像データを取得する画像データ取得手段を更に備え、
前記画像形成手段は更に、前記画像データ取得手段が取得した画像データに基づいて記録媒体に画像形成する
ことを特徴とする請求項１乃至６のいずれかに記載の画像形成装置。
【請求項８】
前記筐体の底面に複数個のストッパ付きキャスタが設けられていることを特徴とする請求項１乃至７のいずれかに記載の画像形成装置。
【発明の詳細な説明】
【０００１】
【発明の属する技術分野】
本発明は、複写機、プリンタ、又は複写機能及びファクシミリ機能を兼ね備えたデジタル複合機等の画像形成装置に関し、より詳細には、主に車椅子に乗った身障者が使用するのに適した画像形成装置に関する。
【０００２】
【従来の技術】
従来の複写機は、健常者が立位にて操作部への入力、並びに原稿のセット及び複写された用紙の受け取り等の作業を楽に行えるような高さに設定されている。しかしながら、健常者の操作性及び作業性を考慮して設定された高さは、例えば車椅子を使用して日常生活を営んでいる人のように特別な制約を持った身障者（以下、身障者という）にとって、非常に作業しにくく、操作性も悪い場合が多い。
【０００３】
そこで、使用者が身障者である場合の操作性及び作業性を考慮し、その高さを変更することができる画像形成装置が開示されている（例えば、特許文献１，２参照）。特許文献１に開示されている画像形成装置は、使用者が健常者又は身障者のいずれの場合であっても、その使用者に合わせて装置の高さを変更することができる。
【０００４】
一方、特許文献２に開示されている画像形成装置は、画像形成部、原稿読取部、及び読取部可動台により分割構成されている。原稿読取部には複写枚数、濃度、及び用紙サイズ等を選択することが可能な操作部が設けられており、原稿読取部は読取部可動台に支持されて画像形成部の上方に配置されている。読取部可動台は、画像形成部の下方で床面に固定された基台に沿って横方向に移動し、原稿読取部を画像形成部の側面の近傍に沿うようにして下降することができ、また、この逆の動作も可能な構成となっている。
【０００５】
したがって、健常者が使用する場合は、操作部への入力及び原稿のセットを立位にて容易に行える高さに原稿読取部を画像形成部の上方に配置した状態に移動することができ、身障者が使用する場合は、操作部への入力及び原稿のセットを車椅子に座ったままの状態で容易に行える高さに原稿読取部を移動することができる。
【０００６】
【特許文献１】
特開平７−１５７１４０号公報
【特許文献２】
特開２００２−１４２０５２号公報
【０００７】
【発明が解決しようとする課題】
特許文献１に開示されている画像形成装置は、装置の高さを変更する際に、身障者が恐怖感を覚える虞がある。
また、特許文献２に開示されている画像形成装置は、画像形成部の高さを変更することはないが、読取部可動台の横方向への移動時及び原稿読取部の縦方向への移動時に身障者は恐怖感を覚え、また、手又は衣服等が巻き込まれる危険性が高いという問題がある。
【０００８】
本発明は斯かる問題に鑑みてなされたものであり、その目的とするところは、読取手段、及び排出記録媒体収容手段を、側面に開口部が設けられた筐体の内部に収納し、開口部から出入可能にすることにより、身障者が原稿のセット、及び画像形成された記録媒体の受け取りを容易に行うことができ、身障者に恐怖感を与えることがない画像形成装置を提供することにある。
【０００９】
また、本発明の他の目的は、読取手段、及び排出記録媒体収容手段を、筐体の内部で高さ方向に、それぞれ独立して移動可能にすることにより、読取手段、及び排出記録媒体収容手段の移動時に、身障者に恐怖感を与えることがなく、また、手又は衣服等が巻き込まれる危険性を排除することができる画像形成装置を提供することにある。
【００１０】
また、本発明の他の目的は、排出記録媒体収容手段を画像形成手段と一体に構成することにより、装置の構成を簡素化することができる画像形成装置を提供することにある。
【００１１】
また、本発明の他の目的は、筐体の上面及び／又は開口部が設けられた側面に情報を表示する表示手段を設けることにより、装置の状態又は要求を使用者に認識させることができる画像形成装置を提供することにある。
【００１２】
また、本発明の他の目的は、筐体の上面及び／又は開口部が設けられた側面に、指示を入力する入力手段を設けることにより、使用者が健常者又は身障者のいずれであっても、装置に対する指示を容易に入力することができる画像形成装置を提供することにある。
【００１３】
また、本発明の他の目的は、個人を特定するための個人情報を取得し、取得した個人情報と、予め登録しておいた登録者の個人情報とを照合し、照合の結果に基づいて使用の許可又は不許可を判定することにより、使用が許可されている登録者以外の不特定者による装置の不正使用を禁止することができる画像形成装置を提供することにある。
【００１４】
また、本発明の他の目的は、ネットワークを介して外部装置から送信された画像データを取得し、取得した画像データに基づいて記録媒体に画像形成することにより、汎用性を高めることができる画像形成装置を提供することにある。
【００１５】
また、本発明の更に他の目的は、筐体の底面に複数個のストッパ付きキャスタを設けることにより、設置場所への移動を容易に行うことができ、設置場所へ移動後は装置を不動にして安全に使用することができる画像形成装置を提供することにある。
【００１６】
【課題を解決するための手段】
本発明に係る画像形成装置は、原稿を読み取る読取手段と、該読取手段により読み取った原稿の画像データに基づいて記録媒体に画像形成する画像形成手段と、該画像形成手段により画像形成されて排出される記録媒体を収容する排出記録媒体収容手段とを備える画像形成装置において、前記読取手段、及び排出記録媒体収容手段は、側面に開口部が設けられた筐体の内部に収納され、該開口部から出入可能にしてあることを特徴とする。
【００１７】
本発明に係る画像形成装置にあっては、使用者は開口部から読取手段を進出させて原稿をセットし、読取手段が原稿の画像を読み取った後に画像形成手段が記録媒体に画像形成し、その後、使用者は読取手段を開口部から筐体の内部へ退入させ、排出記録媒体収容手段を開口部から進出させて画像形成された記録媒体を受け取った後に、排出記録媒体収容手段を開口部から筐体の内部へ退入させる。
【００１８】
開口部を車椅子に乗った身障者が使用しやすい高さに設ける場合は、読取手段への原稿のセット、及び排出記録媒体容手段から画像形成された記録媒体の受け取りを、車椅子に座ったままの状態で無理な姿勢をとることなく、同じ高さ、同じ場所で行うことができる。
また、装置の高さを変更することなく、読取手段、及び排出記録媒体収容手段が開口部から出入りする構成であるため、身障者に恐怖感を与えることがない。
【００１９】
本発明に係る画像形成装置においては、前記読取手段、及び排出記録媒体収容手段は、前記筐体の内部で高さ方向に、それぞれ独立して移動可能にしてあることを特徴とする。
【００２０】
本発明に係る画像形成装置にあっては、読取手段、及び排出記録媒体収容手段を縦列するようにして筐体の内部に収納する場合、例えば、開口部よりも上方の位置に読取手段を収納し、開口部よりも下方の位置に排出記録媒体収容手段を収納する場合、読取手段は、原稿を読み取る際に開口部の高さまで下降して開口部から進出し、原稿を読み取った後に開口部から筐体の内部へ退入して元の位置まで上昇し、排出記録媒体収容手段は、画像形成手段により画像形成されて排出された記録媒体を収容した後に開口部の高さまで上昇して開口部から進出し、記録媒体が受け取られた後に開口部から筐体の内部へ退入して元の位置まで下降する。
【００２１】
このように、読取手段、及び排出記録媒体収容手段の筐体の高さ方向における移動は筐体の内部で行われるため、読取手段、及び排出記録媒体収容手段の移動時に、身障者に恐怖感を与えることがなく、また、手又は衣服等が直接触れることがなく、巻き込まれの危険性を排除でき、安全性を高めることができる。
【００２２】
本発明に係る画像形成装置においては、前記排出記録媒体収容手段は、前記画像形成手段と一体に構成されていることを特徴とする。
【００２３】
本発明に係る画像形成装置にあっては、排出記録媒体収容手段を画像形成手段と一体に構成していることにより、装置の構成を簡素化することができる。
【００２４】
本発明に係る画像形成装置においては、前記筐体の上面及び／又は前記側面に、情報を表示する表示手段が設けられていることを特徴とする。
【００２５】
本発明に係る画像形成装置にあっては、表示手段にて案内情報を表示する場合は、装置の状態又は要求を使用者に認識させることができ、表示手段を使用者と装置との間のインターフェースとして用いることができる。
【００２６】
本発明に係る画像形成装置においては、前記筐体の上面及び／又は前記側面に、指示を入力する入力手段が設けられていることを特徴とする。
【００２７】
本発明に係る画像形成装置にあっては、筐体の上面に入力手段を設ける場合は、健常者が装置に対する指示の入力を立位にて容易に行え、筐体の開口部が設けられた側面に入力手段を設ける場合は、身障者が装置に対する指示の入力を車椅子に座ったままの状態で容易に行える。
【００２８】
本発明に係る画像形成装置においては、個人を特定するための個人情報を取得する個人情報取得手段と、該個人情報取得手段が取得した個人情報と、予め登録しておいた登録者の個人情報とを照合する個人情報照合手段と、該個人情報照合手段の照合結果に基づいて、使用の許可又は不許可を判定する判定手段とを更に備えることを特徴とする。
【００２９】
本発明に係る画像形成装置にあっては、個人情報取得手段は、個人に固有の生体情報（例えば、指紋、手相、声紋、又は網膜）、又は個人に割り当てられたＩＤ情報（例えば、磁気カード若しくはＩＣカードに記録されたデータ、暗証番号、又はパスワード）等の個人情報を取得する。個人情報照合手段は、個人情報取得手段が取得した個人情報を、予め登録しておいた登録者の個人情報と照合し、個人情報を取得された者が登録者のいずれかであるか否かを判定する。
【００３０】
判定手段は、個人情報照合手段による照合の結果、個人情報を取得された者がいずれかの登録者であった場合は、個人情報を取得された者に装置の使用を許可し、個人情報を取得された者が登録者のいずれでもなかった場合は、個人情報を取得された者に装置の使用を禁止する。
これにより、使用が許可されている登録者以外の不特定者による装置の不正使用を禁止することができる。
【００３１】
本発明に係る画像形成装置においては、ネットワークを介して外部装置から送信された画像データを取得する画像データ取得手段を更に備え、前記画像形成手段は更に、前記画像データ取得手段が取得した画像データに基づいて記録媒体に画像形成することを特徴とする。
【００３２】
本発明に係る画像形成装置にあっては、画像データ取得手段はネットワークに接続された外部装置から送信された画像データを取得する。画像形成手段は、画像データ取得手段が取得した画像データに基づいて、読取手段が読み取った原稿の画像データに基づいて画像形成するのと同様に、記録媒体に画像形成する。
これにより、画像形成装置を単なる複写機として利用するだけでなく、プリンタとしても利用することができ、汎用性を高めることができる。
【００３３】
本発明に係る画像形成装置においては、前記筐体の底面に複数個のストッパ付きキャスタが設けられていることを特徴とする。
【００３４】
本発明に係る画像形成装置にあっては、画像形成装置の重量を考慮して筐体の底面に適宜の個数のストッパ付きキャスタを設ける。これにより、画像形成装置を容易に移動することができる。また、画像形成装置を所定位置に移動した後は、各キャスタの転動をストッパで停止することにより、画像形成装置を所定位置で不動にし、画像形成装置を安全に使用することができる。
【００３５】
【発明の実施の形態】
以下に、本発明をその実施の形態を示す図面に基づいて詳細に説明する。
図１は本発明に係る画像形成装置の外観を示す斜視図、図２は筐体２の内部に読取部５、及び排紙トレイ６５が収納されている状態を示す一部透視斜視図である。図において、１は複写機能及びプリント機能を有する画像形成装置であり、略直方体をなす筐体２を外観としている。
【００３６】
筐体２の上面の略全体には、表示手段及び入力手段が一体化したタッチパネル４２が露出するようにして設けられている。筐体２の高さは、身障者が車椅子に座ったままの状態でタッチパネル４２を手で触れ、見ることができる高さに設定されている。なお、タッチパネル４２は筐体２の上面に露出していることにより、健常者でも立位にて容易にタッチパネル４２に触れることができる。
筐体２の一側面には、横長矩形の開口部２１が筐体２の３／４程度の高さになるようにして設けられており、縦長矩形の開口部２２が筐体２の最下部に設けられている。筐体２の底面の四隅にはストッパ付きキャスタ３，３…が設けられている。
【００３７】
筐体２の内部には、開口部２１よりも上方に原稿を読み取る読取部５が収納され、読取部５の更に上方にタッチパネル４２を備える操作部４（図６参照）が収納されており、開口部２１の下方に排出記録媒体収容手段としての排紙トレイ６５が収納され、排紙トレイ６５の更に下方に４つの給紙カセット６３，６３…が収納されている。給紙カセット６３，６３…には、記録媒体として異なるサイズの用紙がそれぞれ収容されており、給紙カセット６３，６３…は、開口部２２からそれぞれ個別に引き出すことが可能である。排紙トレイ６５には、画像形成されて排出された用紙が収容される。
【００３８】
図３は読取部５、及び排紙トレイ６５の移動機構を示す模式図である。なお、図３においては、操作部４、給紙カセット６３，６３…、及び配線の図示は省略している。筐体２の内部には、開口部２１が設けられている側面側にその幅寸法と略同寸法の間隔で２本の支柱２３，２３が設けられ、開口部２１が設けられている側面と、該側面と対面する側面との略中間の位置に前記２本の支柱２３，２３と平行して２本の支柱２３，２３が設けられており、計４本の支柱２３，２３…にはラックがそれぞれ設けられている。
【００３９】
読取部５、及び排紙トレイ６５はそれぞれ、各支柱２３，２３…のラックに係合する４つのギア５ｇ，５ｇ…、及び４つのギア６５ｇ，６５ｇ…により、支柱２３，２３…に支持され、筐体２の高さＨ１及びＨ３の位置に収納配置されている。ギア５ｇ，５ｇ…は、読取部５に設けられたモータ５ｍの駆動により回動し、読取部５は矢付Ａにて示すように支柱２３，２３…を下降・上昇する。ギア６５ｇ，６５ｇ…は、排紙トレイ６５に設けられたモータ６５ｍの駆動により回動し、排紙トレイ６５は矢付Ｂにて示すように支柱２３，２３…を上昇・下降する。
【００４０】
筐体２の内部には更に、電動式のシリンダ２４、及び光検出センサＳ２が開口部２１と対向する高さＨ２の位置に設けられ、光検出センサＳ１及びＳ３がそれぞれ高さＨ１及びＨ３の位置に設けられている。シリンダ２４は、モータ２４ｍと、モータ２４ｍの駆動により伸長・収縮する押し出し部（図示せず）とを備え、破線にて示す高さＨ２まで下降した読取部５、又は上昇した排紙トレイ６５は、シリンダ２４の押し出し部の伸長・収縮により、スライドレール（図示せず）に支持されて矢付Ｃにて示すように開口部２１から進出・退入する。
【００４１】
モータ５ｍ，６５ｍ，２４ｍ、及び光検出センサＳ１，Ｓ２，Ｓ３はそれぞれ、後述する制御部６１（図６参照）に接続されている。光検出センサＳ１，Ｓ２，Ｓ３は、読取部５及び排紙トレイ６５のそれぞれに設けられた発光ダイオード５Ｄ及び６５Ｄが発する光を検出する。
制御部６１は、モータ５ｍ，６５ｍの駆動を制御する各駆動制御部に駆動信号・停止信号を出力して、モータ５ｍ，６５ｍの駆動・停止を制御し、モータ２４ｍの駆動制御部に駆動信号を出力してモータ２４ｍの駆動を制御する。
【００４２】
モータ２４ｍの駆動制御部には、押し出し部のストロークが最大に伸長・収縮したことを検出してモータ２４ｍの駆動を停止し、押し出し部の伸長及び収縮を停止するためのリミット回路が設けられている。モータ２４ｍの駆動制御部は、押し出し部のストロークが最大に収縮してリミット回路がモータ２４ｍの駆動を停止したときに、制御部６１に押し出し部が最大に収縮したことを通知するための信号を出力する。
【００４３】
画像形成装置１の複写機能を作動させる場合、後述する操作部４のＯＣＵ（Ｏｐｅｒａｔｏｒ  Ｃｏｎｔｒｏｌ  Ｕｎｉｔ）４１（図６参照）、及び制御部６１の制御（図９のステップＳ４１０，Ｓ６０５〜Ｓ６０９参照）に基づいて、読取部５を高さＨ１から高さＨ２まで下降させて、次いで図４に示すように開口部２１から進出させる。
【００４４】
読取部５は、開閉自在に構成された原稿カバー５１と、操作パネル５２と、図示しないＣＣＤ（Ｃｈａｒｇｅ  Ｃｏｕｐｌｅｄ  Ｄｅｖｉｃｅ）とを備え、図４に示すように開口部２１から進出した状態で、原稿カバー５１で押さえ付けられた原稿を前記ＣＣＤによって光学的に読み取る。操作パネル５２は、原稿の読み取り開始の指示、複写枚数の指定、複写倍率の指定、及び用紙サイズ指定等の入力を受け付け、入力された複写枚数、複写倍率、及び用紙サイズの指定内容を表示する。
【００４５】
また、原稿を読み取った後は、ＯＣＵ４１、及び制御部６１の制御（図１０のステップＳ４１３，Ｓ６１５〜Ｓ６１９参照）に基づいて、読取部５を開口部２１から退入させて、次いで高さＨ２から高さＨ１まで上昇させる。
その後、制御部６１の制御（図１０のステップＳ６２０〜Ｓ６２３参照）に基づいて、読取部５により読み取った原稿の画像データが画像形成されて排出された用紙を収容した排紙トレイ６５を、高さＨ３から高さＨ２まで上昇させて、次いで図５に示すように開口部２１から進出させる。これにより、使用者は画像形成された用紙を受け取ることができる。
【００４６】
また、使用者が画像形成された用紙を受け取った後は、ＯＣＵ４１、及び制御部６１の制御（図１１のステップＳ４１５，Ｓ６２４〜Ｓ６２８参照）に基づいて、排紙トレイ６５を開口部２１から退入させて、次いで高さＨ２から高さＨ３まで下降させる。
【００４７】
一方、画像形成装置１のプリント機能を作動させる場合、制御部６１の制御（図１０のステップＳ６２０〜Ｓ６２３参照）に基づいて、後述する画像データ取得部６６（図６参照）が取得したプリントジョブの画像データが画像形成されて排出された用紙を収容した排紙トレイ６５を、高さＨ３から高さＨ２まで上昇させて、次いで図５に示すように開口部２１から進出させる。これにより、使用者は画像形成された用紙を受け取ることができる。
また、使用者が画像形成された用紙を受け取った後は、ＯＣＵ４１、及び制御部６１の制御（図１１のステップＳ４１５，Ｓ６２４〜Ｓ６２８参照）に基づいて、排紙トレイ６５を開口部２１から退入させて、次いで高さＨ２から高さＨ３まで下降させる。
【００４８】
図６は本発明に係る画像形成装置１の構成を示すブロック図である。画像形成装置１は、制御部６１と、画像データを記憶する画像メモリ６２と、給紙カセット６３，６３…と、画像メモリ６２に記憶されている画像データに基づいて給紙カセット６３，６３…に収容されている用紙を取り出し、取り出した用紙に画像形成する画像形成部６４と、画像形成部６４により画像形成されて排出された用紙を収容する排紙トレイ６５と、ＬＡＮの通信線８を介して外部装置としてのコンピュータ９，９…に接続されている画像データ取得部６６とを備える。制御部６１には、画像メモリ６２、給紙カセット６３，６３…、画像形成部６４、排紙トレイ６５、画像データ取得部６６、及び読取部５が接続されている。
【００４９】
画像データ取得部６６は、コンピュータ９，９…からプリントジョブを取得し、プリントジョブには画像データ、印刷枚数の指定、印刷倍率の指定、用紙サイズの指定、及びコンピュータ９，９…のユーザＩＤ等が含まれる。
【００５０】
制御部６１はメモリ６１ａを備え、メモリ６１ａは、読取部５が読み取った原稿の画像データを制御部６１が画像メモリ６２へ転送する前に一時的に記憶し、読取部５の操作パネル５２にて入力された複写枚数、複写倍率、及び用紙サイズの指定、並びに画像データ取得部６６が取得したプリントジョブの印刷枚数、印刷倍率、及び用紙サイズの指定を記憶する。
【００５１】
制御部６１は、画像データ取得部６６が取得したプリントジョブに含まれる画像データを画像メモリ６２へ転送し、画像メモリ６２に記憶されている画像データを適宜のタイミングで読み出し、読み出した画像データを、メモリ６１ａに記憶されている指定情報に基づいて画像形成のタイミングに合わせて画像形成部６４へ転送する。
【００５２】
操作部４は、操作部４の全体を制御するＯＣＵ４１を備え、ＯＣＵ４１には、タッチパネル４２と、種々の表示情報が記憶されているＲＯＭ（Ｒｅａｄ  Ｏｎｌｙ  Ｍｅｍｏｒｙ）４３と、ＲＡＭ（Ｒａｎｄｏｍ  Ａｃｃｅｓｓ  Ｍｅｍｏｒｙ）４４と、画像形成装置１の使用者の指の指紋を、図示しないＣＣＤによって光学的に読み取って取得する指紋情報取得部４５と、指紋情報照合部４６と、制御部６１とが接続されている。
【００５３】
タッチパネル４２は、押圧された任意の座標位置を検出する透明のタブレット４２ａの下面に、ドットマトリクスタイプの液晶パネル４２ｂが重ねられてなるが、タブレット４２ａの下面の一角には、液晶パネル４２ｂが存在せず、指紋情報取得部４５が設けられている。これにより、タブレット４２ａの指紋情報取得部４５が配置されている領域（以下、領域４５ｔという）を押圧した指の指紋を、指紋情報取得部４５によって取得することができる。
【００５４】
ＲＡＭ４４には、電源投入時のモード情報、節電モードへ移行するまでの時間情報、画像形成装置１の使用を許可する使用者の指紋情報等が、画像形成装置１の使用に先立って記憶されており、使用者の指紋情報は、コンピュータ９，９…のユーザＩＤと対応付けられている。
【００５５】
ＲＡＭ４４には更に、指紋情報取得部４５が取得した使用者の指紋情報がＯＣＵ４１の制御に基づいて記憶され、また、画像データ取得部６６が取得したプリントジョブに含まれるユーザＩＤが、制御部６１及びＯＣＵ４１の制御に基づいて記憶される。
【００５６】
指紋情報照合部４６は、指紋情報取得部４５が取得した指紋情報と、ＲＡＭ４４に予め記憶されている指紋情報とを照合し、両指紋情報が設定されている照合率の範囲内で合致しているか否かにより、使用者を認証できるか否かを判定し、判定結果をＯＣＵ４１に通知する。
【００５７】
ＯＣＵ４１は、指紋情報照合部４６の判定結果に基づいて、つまり、指紋情報照合部４６が使用者を認証した場合は画像形成装置１の使用の許可を判定し、使用者を認証できない場合は画像形成装置１の使用の不許可を判定し、更に、画像形成装置１の使用の許可又は不許可の判定結果に基づいて、ＲＯＭ４３に記憶されている表示情報を液晶パネル４２ｂに表示する。
【００５８】
図７は画像形成装置１の使用を許可する使用者のＯＣＵ４１での登録手順の処理を示すフローチャートである。まずＯＣＵ４１は、使用者登録用の画面を液晶パネル４２ｂに表示する（Ｓ１）。次にＯＣＵ４１は、タブレット４２ａの領域４５ｔの押圧の検出を監視し（Ｓ２）、押圧を検出しない場合（Ｓ２：ＮＯ）は押圧の検出の監視を続行し、押圧を検出した場合（Ｓ２：ＹＥＳ）は、指紋情報取得部４５のＣＣＤを走査させ（Ｓ３）、指紋情報取得部４５にてタブレット４２ａの領域４５ｔを押圧している指の指紋情報を取得する。
【００５９】
続いてＯＣＵ４１は、使用者名、及びコンピュータ９，９…のユーザＩＤ入力用のソフトウェアキーボード（以下、ソフトキーという）画面と、登録確認用の画面とを液晶パネル４２ｂに表示し（Ｓ４）、使用者はソフトキー画面に従ってタブレット４２ａを押圧して氏名、及びコンピュータ９，９…のユーザＩＤを入力する。次にＯＣＵ４１は、液晶パネル４２ｂに表示された登録確認用の画面に対してタブレット４２ａの「確認」又は「取り消し」のいずれの領域が押圧されるかを判定し（Ｓ５）、タブレット４２ａの「取り消し」の領域が押圧された場合は、ステップＳ１へ処理を戻し、タブレット４２ａの「確認」の領域が押圧された場合は、指紋情報取得部４５が取得した指紋情報を、ソフトキーにて入力された氏名と、コンピュータ９，９…のユーザＩＤとを対応させてＲＡＭ４４に記憶する（Ｓ６）。
【００６０】
続いてＯＣＵ４１は、登録継続用の画面を液晶パネル４２ｂに表示する（Ｓ７）。次にＯＣＵ４１は、液晶パネル４２ｂに表示された登録継続用の画面に対してタブレット４２ａの「継続」又は「終了」のいずれの領域が押圧されるかを判定し（Ｓ８）、タブレット４２ａの「継続」の領域が押圧された場合は、ステップＳ１へ処理を戻し、タブレット４２ａの「終了」の領域が押圧された場合は、処理を終了する。
【００６１】
図８乃至図１１は画像形成装置１の画像形成に係るＯＣＵ４１及び制御部６１での処理の手順を示すフローチャートである。なお、図８乃至図１１において示す「１」，「２」，「３」の符号を付した箇所は、同符号の箇所とそれぞれ連結されることを意味する。
【００６２】
まずＯＣＵ４１は、指紋取得用の画面を液晶パネル４２ｂに表示する（Ｓ４０１）。
一方、制御部６１は、ＯＣＵ４１がステップＳ４０１の処理を行っている間、画像データ取得部６６へのコンピュータ９，９…からのプリントジョブの入力を監視し（Ｓ６０１）、入力されない場合（Ｓ６０１：ＮＯ）、入力の監視を続行し、入力された場合（Ｓ６０１：ＹＥＳ）、画像データ取得部６６に入力されたプリントジョブに含まれる画像データを画像メモリ６２に記憶し（Ｓ６０２）、プリントジョブに含まれる印刷枚数、印刷倍率、及び用紙サイズの指定をメモリ６１ａに記憶し（Ｓ６０３）、プリントジョブに含まれるユーザＩＤをＯＣＵ４１へ転送する（Ｓ６０４）。
ＯＣＵ４１は、制御部６１から転送されたユーザＩＤをＲＡＭ４４に記憶する（Ｓ４０２）。
【００６３】
またＯＣＵ４１では、制御部６１がステップＳ６０１〜Ｓ６０４の処理を行っている間、タブレット４２ａの領域４５ｔの押圧の検出を監視し（Ｓ４０３）、押圧を検出しない場合（Ｓ４０３：ＮＯ）、押圧の検出の監視を続行し、押圧を検出した場合（Ｓ４０３：ＹＥＳ）、指紋情報取得部４５のＣＣＤを走査させ（Ｓ４０４）、指紋情報取得部４５にて読み取った指の指紋情報をＲＡＭ４４に記憶する（Ｓ４０５）。
続いてＯＣＵ４１は、取得した指紋情報とＲＡＭ４４に記憶しておいた指紋情報とを指紋情報照合部４６にて照合し、両指紋情報が設定されている範囲内で合致しているか否かの判定に基づいて、使用者を認識できるか否かを判定する（Ｓ４０６）。
両指紋情報が合致しないために使用者を認識できなかった場合（Ｓ４０６：ＮＯ）、ＯＣＵ４１は、画像形成装置１の使用不許可のメッセージを液晶パネル４２ｂに表示し（Ｓ４０７）、処理を終了する。
【００６４】
一方、両指紋情報が合致して使用者を認識できた場合（Ｓ４０６：ＹＥＳ）、ＯＣＵ４１は、使用者に該当するプリントジョブに含まれるユーザＩＤがＲＡＭ４４に記憶されているか否かを判定する（Ｓ４０８）。
使用者に該当するユーザＩＤがＲＡＭ４４に記憶されていないとＯＣＵ４１が判定した場合（Ｓ４０８：ＮＯ）には、以下、原稿の複写が行われる。
ＯＣＵ４１は、画像形成装置１の複写機能を作動させるべく、画面ａ「Ａさん、しばらくお待ち下さい。読取部が進出されましたら原稿を読み取らせて下さい。／読取完了」を液晶パネル４２ｂに表示し（Ｓ４０９）、読取部５の進出の指示を制御部６１へ出力する（Ｓ４１０）。
【００６５】
一方制御部６１では、ＯＣＵ４１からの読取部５の進出の指示の入力を監視している（Ｓ６０５）。制御部６１は、進出の指示が入力されない場合は（Ｓ６０５：ＮＯ）、入力の監視を続行し、進出の指示が入力された場合は（Ｓ６０５：ＹＥＳ）、モータ５ｍの駆動信号を、モータ５ｍの駆動制御部に出力する（Ｓ６０６）。これにより、モータ５ｍが回転し、読取部５が高さＨ１の位置から下降する。続いて制御部６１は、光検出センサＳ２が読取部５に設けられた発光ダイオード５Ｄの光を検出するのを監視し（Ｓ６０７）、光を検出しない場合は（Ｓ６０７：ＮＯ）、光の検出の監視を続行し、光を検出した場合は（Ｓ６０７：ＹＥＳ）、モータ５ｍの停止信号を、モータ５ｍの駆動制御部に出力する（Ｓ６０８）。これにより、モータ５ｍが停止し、読取部５の下降が高さＨ２の位置で停止する。
【００６６】
次に制御部６１は、モータ２４ｍの駆動信号を、モータ２４ｍの駆動制御部に出力する（Ｓ６０９）。これにより、モータ２４ｍが回転してシリンダ２４の押し出し部が伸長し、押し出し部のストロークが最大に伸長したときは、駆動制御部に設けられたリミット回路によりモータ２４ｍを停止させる。
この段階で、読取部５が開口部２１から進出した状態（図４参照）にあるので、使用者は読取部５に原稿を１枚ずつセットして原稿を読み取らせることができる。
【００６７】
続いて制御部６１は、読取部５の操作パネル５２に入力された複写枚数、複写倍率、及び用紙サイズの指定をメモリ６１ａに記憶し（Ｓ６１０）、操作パネル５２への原稿の読み取り開始の指示の入力を監視する（Ｓ６１１）。制御部６１は、原稿の読み取り開始の指示が入力されない場合は（Ｓ６１１：ＮＯ）、入力の監視を続行し、入力された場合は（Ｓ６１１：ＹＥＳ）、読取部５のＣＣＤを走査させ（Ｓ６１２）、読取部５にて読み取った原稿の画像データをメモリ６１ａに記憶して、メモリ６１ａに記憶した画像データを画像メモリ６２に記憶する（Ｓ６１３）。
【００６８】
次に、制御部６１は、画像メモリ６２に記憶されている原稿の画像データを適宜のタイミングで読み出し、読み出した画像データを、メモリ６１ａに記憶されている複写枚数等の指定情報に基づいて画像形成のタイミングに合わせて画像形成部６４へ転送する（Ｓ６１４）。これにより、画像形成部６４は原稿の画像データに基づいて用紙に画像形成し、画像形成した用紙を排紙トレイ６５へ排出する。
制御部６１のステップＳ６１０〜Ｓ６１４の処理は、使用者が読取部５に読み取らせる原稿の枚数に応じて適宜の回数繰り返される。
【００６９】
一方ＯＣＵ４１では、制御部６１がステップＳ６０５〜Ｓ６１４の処理を行っている間、ステップＳ４０９で液晶パネル４２ｂに表示された画面ａに対してタブレット４２ａの「読取完了」の領域の押圧の検出を監視している（Ｓ４１１）。ＯＣＵ４１は、押圧を検出しない場合は（Ｓ４１１：ＮＯ）、押圧の検出の監視を続行し、押圧を検出した場合は（Ｓ４１１：ＹＥＳ）、画面ｂ「しばらくお待ち下さい。排紙トレイが進出されましたら用紙をお受け取りください。／受取完了」を液晶パネル４２ｂに表示し（Ｓ４１２）、読取部５の収納の指示を制御部６１へ出力する（Ｓ４１３）。
【００７０】
制御部６１では、ＯＣＵ４１からの読取部５の収納の指示の入力を監視している（Ｓ６１５）。制御部６１は、収納の指示が入力されない場合は（Ｓ６１５：ＮＯ）、入力の監視を続行し、収納の指示が入力された場合は（Ｓ６１５：ＹＥＳ）、モータ２４ｍの駆動信号を、モータ２４ｍの駆動制御部に出力する（Ｓ６１６）。これにより、モータ２４ｍが回転してシリンダ２４の押し出し部が収縮し、押し出し部のストロークが最大に収縮したときは、駆動制御部に設けられたリミット回路によりモータ２４ｍを停止させる。この段階で、読取部５は筐体２の内部に退入した状態にある。
【００７１】
続いて制御部６１は、シリンダ２４の押し出し部が最大に収縮したときにモータ２４ｍの駆動制御部が出力する信号を検出した後、モータ５ｍの駆動信号を、モータ５ｍの駆動制御部に出力する（Ｓ６１７）。これにより、モータ５ｍが回転し、読取部５が高さＨ２の位置から上昇する。続いて制御部６１は、光検出センサＳ１が読取部５に設けられた発光ダイオード５Ｄの光を検出するのを監視し（Ｓ６１８）、光を検出しない場合は（Ｓ６１８：ＮＯ）、光の検出の監視を続行し、光を検出した場合は（Ｓ６１８：ＹＥＳ）、モータ５ｍの停止信号を、モータ５ｍの駆動制御部に出力する（Ｓ６１９）。これにより、モータ５ｍが停止し、読取部５の上昇が高さＨ１の位置で停止する。
【００７２】
次に制御部６１は、画像メモリ６２からの原稿の画像データの読み出し、及び読み出した画像データの画像形成部６４への転送が完了した後、モータ６５ｍの駆動信号を、モータ６５ｍの駆動制御部に出力する（Ｓ６２０）。これにより、モータ６５ｍが回転し、排紙トレイ６５が高さＨ３の位置から上昇する。続いて制御部６１は、光検出センサＳ２が排紙トレイ６５に設けられた発光ダイオード６５Ｄの光を検出するのを監視し（Ｓ６２１）、光を検出しない場合は（Ｓ６２１：ＮＯ）、光の検出の監視を続行し、光を検出した場合は（Ｓ６２１：ＹＥＳ）、モータ６５ｍの停止信号を、モータ６５ｍの駆動制御部に出力する（Ｓ６２２）。これにより、モータ６５ｍが停止し、排紙トレイ６５の上昇が高さＨ２の位置で停止する。
【００７３】
次に制御部６１は、モータ２４ｍの駆動信号を、モータ２４ｍの駆動制御部に出力する（Ｓ６２３）。これにより、モータ２４ｍが回転してシリンダ２４の押し出し部が伸長し、押し出し部のストロークが最大に伸長したときは、駆動制御部に設けられたリミット回路によりモータ２４ｍを停止させる。
この段階で、排紙トレイ６５が開口部２１から進出した状態（図５参照）にあるので、使用者は画像形成された用紙を受け取ることができる。
【００７４】
一方ＯＣＵ４１では、制御部６１がステップＳ６１５〜Ｓ６２３の処理を行っている間、ステップＳ４１２で液晶パネル４２ｂに表示された画面ｂに対してタブレット４２ａの「受取完了」の領域の押圧の検出を監視している（Ｓ４１４）。ＯＣＵ４２は、押圧を検出しない場合は（Ｓ４１４：ＮＯ）、押圧の検出の監視を続行し、押圧を検出した場合は（Ｓ４１４：ＹＥＳ）、排紙トレイ６５の収納の指示を制御部６１へ出力する（Ｓ４１５）。
【００７５】
制御部６１では、ＯＣＵ４１からの排紙トレイ６５の収納の指示の入力を監視している（Ｓ６２４）。制御部６１は、収納の指示が入力されない場合は（Ｓ６２４：ＮＯ）、入力の監視を続行し、収納の指示が入力された場合は（Ｓ６２４：ＹＥＳ）、モータ２４ｍの駆動信号を、モータ２４ｍの駆動制御部に出力する（Ｓ６２５）。これにより、モータ２４ｍが回転してシリンダ２４の押し出し部が収縮し、押し出し部のストロークが最大に収縮したときは、駆動制御部に設けられたリミット回路によりモータ２４ｍを停止させる。この段階で、排紙トレイ６５は筐体２の内部に退入した状態にある。
【００７６】
続いて制御部６１は、シリンダ２４の押し出し部が最大に収縮したときにモータ２４ｍの駆動制御部が出力する信号を検出した後、モータ６５ｍの駆動信号を、モータ６５ｍの駆動制御部に出力する（Ｓ６２６）。これにより、モータ６５ｍが回転し、排紙トレイ６５が高さＨ２の位置から下降する。続いて制御部６１は、光検出センサＳ３が排紙トレイ６５に設けられた発光ダイオード６５Ｄの光を検出するのを監視し（Ｓ６２７）、光を検出しない場合は（Ｓ６２７：ＮＯ）、光の検出の監視を続行し、光を検出した場合は（Ｓ６２７：ＹＥＳ）、モータ６５ｍの停止信号を、モータ６５ｍの駆動制御部に出力し（Ｓ６２８）、処理を終了する。これにより、モータ６５ｍが停止し、排紙トレイ６５の下降が高さＨ３の位置で停止する。
【００７７】
一方、ステップＳ４０８において、使用者に該当するユーザＩＤがＲＡＭ４４に記憶されているとＯＣＵ４１が判定した場合（Ｓ４０８：ＹＥＳ）、ＯＣＵ４１は、画面ｃ「Ｂさん、プリントジョブを今すぐ印刷されますか？／変更／ＯＫ」を液晶パネル４２ｂに表示する（Ｓ４１６）。
【００７８】
次にＯＣＵ４１は、液晶パネル４２ｂに表示された画面ｃに対してタブレット４２ａの「変更」又は「ＯＫ」のいずれの領域が押圧されるかを判定する（Ｓ４１７）。
ステップＳ４１７において、タブレット４２ａの「変更」の領域が押圧されたとＯＣＵ４１が判定した場合には、以下、原稿の複写が行われる。
ＯＣＵ４１は、画像形成装置１の複写機能を作動させるべく、画面ｄ「Ｂさん、しばらくお待ち下さい。読取部が進出されましたら原稿を読み取らせて下さい。／読取完了」を液晶パネル４２ｂに表示し（Ｓ４１８）、ステップＳ４１０へ移行して以降の処理を繰り返す。
【００７９】
一方、ステップＳ４１７において、タブレット４２ａの「ＯＫ」の領域が押圧されたとＯＣＵ４１が判定した場合には、以下、プリントジョブの印刷が行われる。
ＯＣＵ４１は、画像形成装置１のプリント機能を作動させるべく、画面ｂ「しばらくお待ち下さい。排紙トレイが進出されましたら用紙をお受け取りください。／受取完了」を液晶パネル４２ｂに表示する（Ｓ４１９）。続いてＯＣＵ４１は、プリントジョブの画像データの画像形成の指示を制御部６１へ出力する（Ｓ４２０）。
【００８０】
制御部６１では、ＯＣＵ４１からの画像形成の指示の入力を監視している（Ｓ６２９）。制御部６１は、画像形成の指示が入力されない場合は（Ｓ６２９：ＮＯ）、入力の監視を続行し、画像形成の指示が入力された場合は（Ｓ６２９：ＹＥＳ）、画像メモリ６２に記憶されているプリントジョブの画像データを適宜のタイミングで読み出し、読み出した画像データを、メモリ６１ａに記憶されている印刷枚数等の指定情報に基づいて画像形成のタイミングに合わせて画像形成部６４へ転送する（Ｓ６３０）。これにより、画像形成部６４はプリントジョブの画像データに基づいて画像形成し、画像形成した用紙を排紙トレイ６５へ排出する。
【００８１】
次に制御部６１は、画像メモリ６２からのプリントジョブの画像データの読み出し、及び読み出した画像データの画像形成部６４への転送が完了した後、ステップＳ６２０へ移行し、以降、ＯＣＵ４１のステップＳ４１４及びＳ４１５の処理を含めてステップＳ６２８までの処理を繰り返す。これにより、排紙トレイ６５は、高さＨ３から高さＨ２まで上昇して開口部２１から進出し、次いで開口部２１から退入して高さＨ２から高さＨ３まで下降する。
【００８２】
図１２は本発明の他の実施の形態に係る画像形成装置１１の排紙トレイ６５が開口部２１から進出した状態を示す斜視図である。図１２に示す画像形成装置１１は、画像形成部６４、及び排紙トレイ６５が左右一体に構成されている点が、図１、図２、及び図５に示す画像形成装置１と異なる。その他の構成については、ＯＣＵ４１、及び制御部６１の制御も含めて画像形成装置１と同様であるので、同様の部分については同一の符号を付して説明を省略する。
【００８３】
なお、前述した画像形成装置１，１１は、身障者が車椅子に座ったままの状態でタッチパネル４２を手で触れ、見ることができる高さに筐体２の高さを設定したが、これに限らず、筐体２の高さを健常者が立位にてタッチパネル４２に手が触れることができる高さに設定してもよい。この場合、筐体２の開口部２１が設けられている側面にもタッチパネル４２を設けることにより、身障者が車椅子に座ったままの状態で筐体２の側面に設けられたタッチパネル４２に触れることができる。
【００８４】
また、前述した画像形成装置１，１１は、原稿を１枚ずつ読み取ったが、これに限らず、複数枚の原稿を一度にセットした原稿を自動的に連続して送るＡＤＦ（Ａｕｔｏ  Ｄｏｃｕｍｅｎｔ  Ｆｅｅｄｅｒ）を、読取部５に設けてもよい。
【００８５】
また、前述した画像形成装置１，１１は、開口部２１を閉じる手段を有しないが、これに限らず、開口部２１にカバーを設けてもよい。この場合、読取部５と排紙トレイ６５とがそれぞれ開口部２１から進出する際にカバーが開き、読取部５と排紙トレイ６５とが共に筐体２の内部に収納されている状態でカバーが閉じるように構成する。これにより、埃等の進入による筐体２の内部の精密機器の故障を防止することができ、更にメンテナンス時の清掃を軽減することができる。
【００８６】
また、前述した画像形成装置１，１１は、使用者とコンピュータ９，９…のユーザとの個人認証を、ＲＡＭ４４にコンピュータ９，９…のユーザＩＤをユーザの指紋情報に対応付けて記憶し、プリントジョブを受信した際にユーザを特定し、特定されたユーザの指紋を指紋情報取得部４５が取得した使用者の指紋情報と照合したが、これに限らず、コンピュータ９，９…側に別途設けられた指紋情報取得部により取得したユーザの個人情報をプリントジョブと共に取得し、指紋情報照合部４６にて、取得したユーザの指紋情報を指紋情報取得部４５が取得した使用者の指紋情報と照合してもよい。
【００８７】
また、前述した画像形成装置１，１１は、複写機能及びプリント機能を備えたが、これに限らず、更にファクシミリ機能も兼ね備えてもよい。
【００８８】
更に、前述した画像形成装置１，１１は、個人認証に用いる個人情報を指紋としたが、これに限らず、手相、声紋、又は網膜等の生体情報の他、個人に割り当てられたＩＤ情報、例えば、磁気カード若しくはＩＣカードに記録されたデータ、暗証番号、又はパスワード等を用いてもよい。
【００８９】
【発明の効果】
以上のように、本発明によれば、読取手段、及び排出記録媒体収容手段を収納した筐体の側面に開口部が設けられているため、開口部を車椅子に乗った身障者が使用しやすい高さに設ける場合は、読取手段への原稿のセット、及び排出記録媒体容手段から画像形成された記録媒体の受け取りを、車椅子に座ったままの状態で無理な姿勢をとることなく、同じ高さ、同じ場所で行うことができる。また、装置の高さを変更することなく、読取手段、及び排出記録媒体収容手段が開口部から出入りする構成であるため、身障者に恐怖感を与えることがない。
【００９０】
また、本発明によれば、読取手段、及び排出記録媒体収容手段を筐体の内部で縦列するように収納する場合は、読取手段、及び排出記録媒体収容手段の筐体の高さ方向における移動は筐体の内部で行われるため、読取手段、及び排出記録媒体収容手段の移動時に、身障者に恐怖感を与えることがなく、また、手又は衣服等が直接触れることがなく、巻き込まれの危険性を排除でき、安全性を高めることができる。
【００９１】
また、本発明によれば、排出記録媒体収容手段を画像形成手段と一体に構成していることにより、装置の構成を簡素化することができる。
【００９２】
また、本発明によれば、筐体の上面及び／又は開口部が設けられた側面に情報を表示する表示手段を設けていることにより、装置の状態又は要求を使用者に認識させることができる。
【００９３】
また、本発明によれば、筐体の上面及び／又は開口部が設けられた側面に、指示を入力する入力手段を設けていることにより、使用者が健常者又は身障者のいずれであっても、装置に対する指示を容易に入力することができる。
【００９４】
また、本発明によれば、個人を特定するための個人情報を取得し、取得した個人情報と、予め登録しておいた登録者の個人情報とを照合し、照合の結果に基づいて使用の許可又は不許可を判定していることにより、使用が許可されている登録者以外の不特定者による装置の不正使用を禁止することができる。
【００９５】
また、本発明によれば、ネットワークを介して外部装置から送信された画像データを取得し、取得した画像データに基づいて記録媒体に画像形成していることにより、装置の汎用性を高めることができる。
【００９６】
更に、本発明によれば、筐体の底面に複数個のストッパ付きキャスタを設けていることにより、設置場所への移動を容易に行うことができ、設置場所へ移動後は装置を不動にして安全に使用することができる。
【図面の簡単な説明】
【図１】本発明に係る画像形成装置の外観を示す斜視図である。
【図２】筐体の内部に読取部、及び排紙トレイが収納されている状態を示す一部透視斜視図である。
【図３】読取部、及び排紙トレイの移動機構を示す模式図である。
【図４】読取部が開口部から進出した状態を示す斜視図である。
【図５】排紙トレイが開口部から進出した状態を示す斜視図である。
【図６】本発明に係る画像形成装置の構成を示すブロック図である。
【図７】画像形成装置の使用を許可する使用者のＯＣＵでの登録手順の処理を示すフローチャートである。
【図８】画像形成装置の画像形成に係るＯＣＵ及び制御部での処理の手順を示すフローチャートである。
【図９】画像形成装置の画像形成に係るＯＣＵ及び制御部での処理の手順を示すフローチャートである。
【図１０】画像形成装置の画像形成に係るＯＣＵ及び制御部での処理の手順を示すフローチャートである。
【図１１】画像形成装置の画像形成に係るＯＣＵ及び制御部での処理の手順を示すフローチャートである。
【図１２】本発明の他の実施の形態に係る画像形成装置の斜視図である。
【符号の説明】
１，１１  画像形成装置
２  筐体
２１，２２  開口部
３  ストッパ付きキャスタ
４  操作部
４１  ＯＣＵ
４２  タッチパネル
４３  ＲＯＭ
４４  ＲＡＭ
４５  指紋情報取得部
４６  指紋情報照合部
５  読取部
５１  カバー
５２  操作パネル
６１  制御部
６２  画像メモリ
６３  給紙カセット
６４  画像形成部
６５  排紙トレイ
６６  画像データ取得部
【図１】
2004286880.tif 000003
【図２】
2004286880.tif 000004
【図３】
2004286880.tif 000005
【図４】
2004286880.tif 000006
【図５】
2004286880.tif 000007
【図６】
2004286880.tif 000008
【図７】
2004286880.tif 000009
【図８】
2004286880.tif 000010
【図９】
2004286880.tif 000011
【図１０】
2004286880.tif 000012
【図１１】
2004286880.tif 000013
【図１２】
2004286880.tif 000014